(57)【要約】【課題】  口筋圧を正確に測定することができる上に、口筋圧の正確な測定を速やかに行うことができる口筋圧測定装置を提供すること。【解決手段】  口筋圧測定装置１は、口腔内面２に圧接して口筋に基づく圧力を受圧する夫々互いに別個独立の部材からなると共に口腔内面２に圧接して口筋に基づく圧力Ｐ１及びＰ２を受圧する一対の受圧部材３及び３ａと、受圧部材３及び３ａの受圧に基づいて口筋圧を測定する測定手段４とを具備している。【選択図】図１
2006051133.tif 000002
【特許請求の範囲】
【請求項１】
口腔内面に圧接して口筋に基づく圧力を受圧する受圧部材と、この受圧部材の受圧に基づいて口筋圧を測定する測定手段とを具備している口筋圧測定装置。
【請求項２】
夫々互いに別個独立の部材からなると共に口腔内面に圧接して口筋に基づく圧力を受圧する一対の受圧部材と、一対の受圧部材の受圧に基づいて口筋圧を測定する測定手段とを具備している口筋圧測定装置。
【請求項３】
一対の受圧部材は、夫々互いに同形状である請求項２に記載の口筋圧測定装置。
【請求項４】
受圧部材は、先端部に口腔内面に圧接する圧接部を有している略Ｌ字状部材を具備しており、測定手段は、圧接部の口腔内面に対する圧接により当該圧接部が受圧する口筋に基づく圧力を測定するようになっている請求項１から３のいずれか一項に記載の口筋圧測定装置。
【請求項５】
略Ｌ字状部材は、３０度から５０度の角度で折れ曲がっている請求項４に記載の口筋圧測定装置。
【請求項６】
測定手段は、受圧部材に装着されていると共に当該受圧部材の受圧を検知する検知部と、検知部の検知に基づいて受圧部材の受圧を口筋圧として電気的に検出する検出器とを具備している請求項１から５のいずれか一項に記載の口筋圧測定装置。
【請求項７】
測定手段は、検出器の検出結果を表示する表示部を具備している請求項６に記載の口筋圧測定装置。
【請求項８】
測定手段は、検出器の検出結果を記憶する記憶部と、この記憶部から離反して配されていると共に当該記憶部に検出器の検出結果を記憶させるべく記憶指令信号を生起する記憶指令具とを具備している請求項６又は７に記載の口筋圧測定装置。
【請求項９】
測定手段は、記憶指令具の記憶指令信号の生起に基づいて発音する発音装置を具備している請求項８に記載の口筋圧測定装置。
【請求項１０】
請求項１から９のいずれか一項に記載の口筋圧測定装置に用いられる受圧部材。
【発明の詳細な説明】
【技術分野】
【０００１】
本発明は、口筋圧を測定する口筋圧測定装置に関する。
【背景技術】
【０００２】
【特許文献１】特開２００１−１５７６７３号公報
【０００３】
例えば特許文献１においては、唇の間に挟み込まれて当該唇からの圧力を受圧することができるように一体的に成形された一つの轡状の受圧具を有していると共にこの受圧具が唇の閉じる口輪筋力（口唇力）に基づいて受圧する受圧力を検出するセンサと、センサが検出する値の最大値を検出して記憶する手段（ピークホールド手段）とを具備している口筋圧、ここでは口輪筋圧を測定する口筋圧測定装置が提案されている。
【発明の開示】
【発明が解決しようとする課題】
【０００４】
ところで、斯かる口筋圧測定装置では、被測定者が一方的に受圧具に対して圧力を与えることにより口筋圧が測定されるようになっているために、測定結果に被測定者の意思、状態等による影響が生じ易くなる虞があり、口筋圧の正確な測定が困難である。
【０００５】
また、斯かる口筋圧測定装置では、一体的に成形された一つの受圧具が唇の間に挟み込まれると共に当該受圧具に当該唇からの圧力が与えられるようになっているために、口筋圧の正確な測定を行うためには種々の大きさの受圧具を予め準備し、これらの受圧具の中から種々の被測定者に応じた大きさの受圧具を選択する必要があり、而して、種々の被測定者の口筋圧の正確な測定を速やかに行うことが困難である。
【０００６】
本発明は、前記諸点に鑑みてなされたものであり、その目的とするところは、口筋圧を正確に測定することができる口筋圧測定装置を提供することにある。また、本発明の他の目的とするところは、口筋圧の正確な測定を速やかに行うことができる口筋圧測定装置を提供することにある。
【課題を解決するための手段】
【０００７】
本発明の第一の態様の口筋圧測定装置は、口腔内面に圧接して口筋に基づく圧力を受圧する受圧部材と、この受圧部材の受圧に基づいて口筋圧を測定する測定手段とを具備している。
【０００８】
第一の態様の口筋圧測定装置によれば、特に、受圧部材が口腔内面に圧接して口筋に基づく圧力を受圧するようになっているために、受圧部材を操作する者（測定者）による受圧部材の操作により被測定者の口筋に基づく圧力を受圧部材に受圧させることができて、測定結果に被測定者の意思、状態等による影響が生じやすくなる虞をなくすことができ、而して、被測定者の口筋圧を正確に測定することができる。尚、第一の態様の口筋圧測定装置によれば、操作による受圧部材の口腔内面への圧接に抗する口筋に基づく圧力を当該受圧部材に受圧させることで、被測定者の有する本来の口筋に基づく口筋圧を正確に測定し得る。
【０００９】
本発明の第二の態様の口筋圧測定装置は、夫々互いに別個独立の部材からなると共に口腔内面に圧接して口筋に基づく圧力を受圧する一対の受圧部材と、一対の受圧部材の受圧に基づいて口筋圧を測定する測定手段とを具備している。
【００１０】
第二の態様の口筋圧測定装置によれば、特に、夫々互いに別個独立の部材からなると共に口腔内面に圧接して口筋に基づく圧力を受圧する一対の受圧部材を具備しているために、一対の受圧部材を操作する者（測定者）による一対の受圧部材の操作により被測定者の口筋に基づく圧力を一対の受圧部材に受圧させることできて、測定結果に被測定者の意思、状態等による影響が生じ易くなる虞をなくすことができ、而して、被測定者の口筋圧を正確に測定することができ、また、夫々互いに別個独立の部材である一対の受圧部材の測定者による操作により一対の受圧部材の相対的な位置を自在に調整することができて、被測定者に応じた種々の大きさの受圧部材を予め準備してこれらの受圧部材を適宜選択する必要をなくすことができ、而して、種々の被測定者の口筋圧の正確な測定を速やかに行うことができる。尚、第二の態様の口筋圧測定装置によれば、操作による一対の受圧部材の口腔内面への圧接に抗する口筋に基づく圧力を当該一対の受圧部材に受圧させることで、被測定者の有する本来の口筋に基づく口筋圧を正確に且つ速やかに測定し得る。
【００１１】
本発明においては、その第三の態様の口筋圧測定装置のように、一対の受圧部材は、夫々互いに同形状であってもよい。
【００１２】
第三の態様の口筋圧測定装置によれば、上述の構成を具備しているために、一対の受圧部材の夫々の操作を容易にし得ると共に、一対の受圧部材に口筋に基づく圧力を夫々互いに同様に受圧させることができて被測定者の口筋圧をより正確に測定し得る。また、第三の態様の口筋圧測定装置によれば、一対の受圧部材の互換性を確保することができて、当該一対の受圧部材の管理（メンテナンス、交換等を含む）を容易にし得る上に、口筋圧測定装置自体の製造コストをも低減し得る。
【００１３】
本発明においては、その第四の態様の口筋圧測定装置のように、受圧部材は、先端部に口腔内面に圧接する圧接部を有している略Ｌ字状部材を具備していてもよく、測定手段は、圧接部の口腔内面に対する圧接により当該圧接部が受圧する口筋に基づく圧力を測定するようになっていてもよい。
【００１４】
第四の態様の口筋圧測定装置によれば、上述の構成を具備しているために、圧接部を口腔内面に対して容易に圧接させることができ、而して、口筋圧を簡単に測定することができる。
【００１５】
本発明においては、その第五の態様の口筋圧測定装置のように、略Ｌ字状部材は、３０度から５０度の角度で折れ曲がっていてもよい。
【００１６】
第五の態様の口筋圧測定装置によれば、上述の構成を具備しているために、受圧部材を口腔内面に対してより容易に圧接させることができ、而して、口筋圧をより簡単に測定することができる。
【００１７】
本発明においては、その第六の態様の口筋圧測定装置のように、測定手段は、受圧部材に装着されていると共に当該受圧部材の受圧を検知する検知部と、検知部の検知に基づいて受圧部材の受圧を口筋圧として電気的に検出する検出器とを具備していてもよい。
【００１８】
本発明においては、その第七の態様の口筋圧測定装置のように、測定手段は、検出器の検出結果を表示する表示部を具備していてもよい。
【００１９】
本発明においては、その第八の態様の口筋圧測定装置のように、測定手段は、検出器の検出結果を記憶する記憶部と、この記憶部から離反して配されていると共に当該記憶部に検出器の検出結果を記憶させるべく記憶指令信号を生起する記憶指令具とを具備していてもよい。
【００２０】
第八の態様の口筋圧測定装置によれば、上述の構成を具備しているために、被測定者により記憶指令具を簡単に操作することができ、而して、検出器の検出結果を速やかに記憶部に記憶させ得る。
【００２１】
本発明においては、その第九の態様の口筋圧測定装置のように、測定手段は、記憶指令具の記憶指令信号の生起に基づいて発音する発音装置を具備していてもよい。
【００２２】
第九の態様の口筋圧測定装置によれば、上述の構成を具備しているために、例えば、被測定者による記憶指令具の操作により発音装置による発音を生じさせることで、測定者に対して検出器からの検出結果が記憶部に記憶された旨を速やかに伝達することができ、而して、受圧部材の口腔内面に対する過大な圧力の付与を防止することができる。
【００２３】
第一から第九のいずれかの態様の口筋圧測定装置では、口腔内面に圧接する受圧部材による被測定者に応じた多様な操作が可能であるために、例えば、口輪筋圧、口腔周囲筋圧、頬筋圧及び舌圧等の少なくとも一つの圧力に基づく口筋圧を測定し得る。また、第一から第九のいずれかの態様の口筋圧測定装置によれば、操作による受圧部材の口腔内面への圧接に抗する口筋に基づく圧力を当該受圧部材に受圧させることによって被測定者の有する本来の口筋に基づく口筋圧（抗口筋圧）を正確に測定することができるが、受圧部材が口腔内面に接触されてその位置が保持される場合には、被測定者の一方的な口筋に基づく圧力の受圧部材に対する付与により被測定者の一方的な口筋に基づく圧力による口筋圧をも測定することが可能である。
【００２４】
本発明の第一から第九のいずれかの態様の口筋圧測定装置による測定結果は、例えば、歯科矯正等の経過を示す一つの情報として有用である。
【発明の効果】
【００２５】
本発明によれば、口筋圧を正確に測定することができる口筋圧測定装置を提供し得る。また、本発明の他の目的とするところは、口筋圧の正確な測定を速やかに行うことができる口筋圧測定装置を提供し得る。
【発明を実施するための最良の形態】
【００２６】
次に、本発明の実施の形態の例を、図に示す例に基づいて更に詳細に説明する。尚、本発明はこれら例に何等限定されないのである。
【実施例】
【００２７】
図１から図６において、本例の口筋圧測定装置１は、口腔内面（口腔周囲内面）２に圧接して口筋に基づく圧力（抗圧力）を受圧する少なくとも一つの受圧部材、本例では夫々互いに別個独立の部材からなると共に口腔内面２に圧接して口筋に基づく圧力（抗圧力）Ｐ１及びＰ２を受圧する一対の受圧部材３及び３ａと、受圧部材３及び３ａの受圧に基づいて口筋圧（抗口筋圧）を測定する測定手段４とを具備している。
【００２８】
受圧部材３及び３ａは、夫々互いに同形状である。受圧部材３は、図５に示すように、Ａ１方向の移動力が与えられることにより口腔内面２からの圧力Ｐ１を受圧するようになっている。受圧部材３ａは、図５に示すように、Ａ１方向の移動力とは逆のＡ２方向の移動力が与えられることにより口腔内面２からの圧力Ｐ２を受圧するようになっている。斯かる受圧部材３及び３ａには、夫々互いに協働して圧力Ｐ１及びＰ２を受圧することができるようにＡ１及びＡ２方向の移動力が夫々に与えられるようになっている。
【００２９】
受圧部材３及び３ａは、本例では夫々互いに同様に形成されているので、以下、受圧部材３について詳細に説明し、受圧部材３ａについては必要に応じて図に符号ａを付してその詳細な説明を省略する。
【００３０】
受圧部材３は、略Ｌ字状部材１１と、略Ｌ字状部材１１が固定されている操作部材１２とを具備している。
【００３１】
略Ｌ字状部材１１は、略Ｌ字状部材１１の先端部に配されていると共に口腔内面２に圧接する圧接部１３と、圧接部１３に連続して設けられている曲折部１４と、曲折部１４に連続して設けられていると共に圧接部１３における口腔内面２からの圧力Ｐ１の受圧に基づいて撓みを生じる撓み部１５とを具備している。尚、測定手段４は、圧接部１３の口腔内面２に対する圧接により当該圧接部１３が受圧する口筋に基づく圧力Ｐ１を測定するようになっている。
【００３２】
圧接部１３は、略Ｌ字状部材１１の先端部でもある短尺部を構成している平板状の短板体２１と、短板体２１に装着されて当該短板体２１を覆うと共に口腔内面２に接する弾性部材２２とを具備している。
【００３３】
短板体２１は、撓み部１５よりも高い剛性を有していてもよく、斯かる場合には、圧接部１３の口腔内面２に対する圧接に基づいて撓み部１５に撓みを集中的に生じさせることができて口筋圧を正確に測定することができる。尚、短板体２１には、棒体２８が挿入される孔２３が形成されている。
【００３４】
弾性部材２２は、本例では、弾性を有しているシリコンゴム等からなる断面略楕円柱状のゴム体２４と、短板体２１が嵌入されるようにゴム体２４に設けられたスリット２５と、一端がゴム体２４のスリット２５よりも一方側の部位２６に固設されていると共に他端がゴム体２４のスリット２５よりも他方側の部位２７に挿抜自在に嵌挿されており、弾性部材２２の短板体２１への装着の際に、孔２３に挿入されて当該弾性部材２２の短板体２１への装着状態を維持する棒体２８とを具備している。尚、弾性部材２２は、本例では、棒体２８の孔２３への挿入によって短板体２１への装着状態が維持されるように構成されているが、例えば、棒状体２８を省くと共に、ゴム体２４のスリット２５又は挿入穴（図示せず）に対する短板体２１の挿抜によってゴム体２４自体が短板体２１に装着され若しくは短板体２１から取り外されるように形成されたゴム体２４を具備して構成されていてもよい。
【００３５】
斯かる圧接部１３は、高い剛性を有する上に口腔内面２に傷等を生じさせないように圧接することができるように構成される。
【００３６】
曲折部１４は、特に図２に示すように、一端部で短板体２１の一端部に一体的に連結されていると共に、９０度以下、好ましくは３０度から５０度の角度θをもって折れ曲がっている曲板体３１を具備している。
【００３７】
曲板体３１は、凸曲面３２及び凹曲面３３を具備している。曲板体３１は、撓み部１５よりも高い剛性を有していてもよく、斯かる場合には、圧接部１３の口腔内面２に対する圧接に基づいて撓み部１５に撓みを集中的に生じさせることができて口筋圧をより正確に測定することができる。
【００３８】
撓み部１５は、一端部で曲板体３１の他端部に一体的に連結されていると共に略Ｌ字状部材１１の長尺部を構成している平板状の長板体４１を具備している。長板体４１の他端部は、操作部材１２に固定されている。
【００３９】
凸曲面３２に連続している長板体４１の面４２には、ストレンゲージ７１が貼着されており、凹曲面３３に連続している長板体４１の面４３には、ストレンゲージ７２が貼着されている。
【００４０】
尚、長板体４１のストレンゲージ７１及び７２が貼着されている部位４４は、長板体４１の部位４４とは他の部位の肉厚よりも薄く形成されていてもよく、斯かる場合には、圧接部１３の口腔内面２に対する圧接に基づいて部位４４に撓みを集中的に生じさせることができて口筋圧をより正確に測定することができる。
【００４１】
短板体２１、曲板体３１及び長板体４１は、例えば一枚の長尺の金属製の平板が折り曲げられることによって夫々構成されてもよい。
【００４２】
操作部材１２は、長板体４１の長手方向と同方向に伸びている筒体５１と、筒体５１の一端側に配されていると共に長板体４１の他端部を筒体５１に解除自在に固定している固定部５２とを具備している。
【００４３】
筒体５１は、断面略楕円形状である。筒体５１には、その一端側から長板体４１の他端部が挿入されており、その他端側からストレンゲージ７１及び７２に接続されているケーブル５５が挿入されている。筒体５１は、略Ｌ字状部材１１よりも高い剛性を有している。
【００４４】
固定部５２は、長板体４１の他端部及び筒体５１の一端側の部位とを筒体５１内のブラケット（図示せず）を介して解除自在に連結しているねじ５６を具備しており、当該ねじ５６により略Ｌ字状部材１１を操作部材１２に解除自在に固定するようになっている。
【００４５】
測定手段４は、図１及び図４に示すように、受圧部材３及び３ａに夫々装着されていると共に当該受圧部材３及び３ａの受圧を検知する検知部６１及び６１ａと、検知部６１及び６１ａの検知に基づいて受圧部材３及び３ａの夫々の受圧を口筋圧として電気的に検出する検出器６２と、検出器６２の検出結果を表示する表示部６３と、検出器６２からの検出結果を記憶する記憶部６４と、記憶部６４から離反して配されていると共に当該記憶部６４に検出器６２の検出結果を記憶させるべく記憶指令信号を生起する記憶指令具６５と、記憶指令具６５の記憶指令信号の生起に基づいて発音する発音装置６６とを具備している。尚、検出器６２、記憶部６４及び発音装置６６は、本例では、図１に示すように、ケース６７に収容されている。
【００４６】
検知部６１は、本例では撓み部１５に配されていると共に当該撓み部１５の撓みを検知するようになっている。検知部６１ａは、本例では撓み部１５ａに配されていると共に当該撓み部１５ａの撓みを検知するようになっている。尚、検知部６１及び６１ａは、夫々互いに同様に形成されているので、以下、検知部６１について詳細に説明し、検知部６１ａについては必要に応じて図に符号ａを付してその詳細な説明を省略する。
【００４７】
検知部６１は、撓み部１５に装着された圧力ゲージ、本例では長板体４１に貼着されたストレンゲージ７１及び７２を有しており、ストレンゲージ７１及び７２の伸縮に基づいて撓み部１５の撓みを検知するようになっている。
【００４８】
ストレンゲージ７１は、面４２に貼着されており、ストレンゲージ７２は、面４３に貼着されている。ストレンゲージ７１及び７２は、長板体４１を挟むように配されている。ストレンゲージ７１及び７２は、図６に示すような撓み部１５の撓みに基づいて伸長及び圧縮されるようになっており、ストレンゲージ７１は、ストレンゲージ７２が圧縮される際に伸長され且つストレンゲージ７２が伸長される際に圧縮されるように長板体４１に貼着されている。
【００４９】
検出器６２は、ストレンゲージ７１及び７２にケーブル５５を介して電気的に接続されているブリッジ回路（図示せず）を有しており、このブリッジ回路から電気的に出力される抵抗変動値に基づいて口筋圧を示す値としての受圧部材３の受圧値を電気的に検出するようになっている。検出器６２は、受圧部材３の受圧値の検出と同様にして、受圧部材３ａの受圧値をも検出するようになっている。尚、検出器６２は、受圧部材３及び３ａの夫々の受圧値の平均値を演算する演算部を更に具備していてもよい。
【００５０】
表示部６３は、検出器６２による検出結果を表示するディスプレー等からなり、受圧部材３及び３ａの夫々の受圧値やこれらの平均値が表示されるようになっている。
【００５１】
記憶部６４は、検出器６２による検出結果を電気的に記憶するメモリ等からなる。記憶部６４は、記憶指令具６５からの電気的な記憶指令信号を受けることにより検出器６２の検出結果を記憶するようになっている。尚、記憶部６４は、記憶指令具６５からの記憶指令信号を受ける毎に検出器６２の検出結果を逐次蓄積するようになっていてもよい。
【００５２】
記憶指令具６５は、押しボタン８１と、押しボタン８１が押し込まれるように且つ被測定者に保持されるように形成されている保持ケース８２と、保持ケース８２内に配されていると共に記憶部６４にケーブル７５を介して電気的に接続されているスイッチ（図示せず）とを具備しており、このスイッチは、押しボタン８１が押されることにより電気回路の開閉を行うように構成されている。記憶指令具６５は、スイッチによる電気回路の開放及び閉鎖のいずれか一方に基づいて記憶指令信号を生起するようになっている。尚、記憶指令具６５のスイッチは、発音装置６６にもケーブル７５を介して電気的に接続されている。
【００５３】
発音装置６６は、音波を生じるスピーカー（図示せず）を有しており、記憶指令具６５からの記憶指令信号を受けてスピーカーにより音波を生じるようになっている。
【００５４】
本例の口筋圧測定装置１により被測定者の口筋圧を測定する場合には、図５に示すように、まず、測定者による操作部材１２及び１２ａの操作により圧接部１３及び１３ａを口内に挿入し、弾性部材２２を口腔内面２の一方の頬側の部位９１に、弾性部材２２ａを口腔内面２の他方の頬側の部位９２に夫々接触させる。斯かる場合に、筒体５１及び５１ａは長板体４１及び４１ａを間にして互いに対向しており、凹曲面３３及び３３ａは凸曲面３２及び３２ａよりも被測定者側に配されている。
【００５５】
次に、被測定者による操作により、受圧部材３にはＡ１方向に向かう移動力を、受圧部材３ａにはＡ２方向に向かう移動力を夫々与えることで、換言すれば、受圧部材３及び３ａが互いに離反される離反力を当該受圧部材３及び３ａに与えることで、弾性部材２２を部位９１に圧接させると共に弾性部材２２ａを部位９２に圧接させる。このようにして、受圧部材３は、圧接部１３の部位９１に対する圧力に抗する部位９１の圧接部１３に対する圧力Ｐ１を受圧し、受圧部材３ａは、圧接部１３ａの部位９２に対する圧力に抗する部位９２の圧接部１３ａに対する圧力Ｐ２を受圧する。尚、圧接部１３の部位９１に対する圧力は、圧接部１３ａの部位９２に対する圧力と略同等の圧力とされるのが好ましい。
【００５６】
圧力Ｐ１及びＰ２を夫々受圧した受圧部材３及び３ａの撓み部１５及び１５ａの夫々には、図６に示すように、圧力Ｐ１及びＰ２に応じた撓みが生じる。このように生じた撓みの夫々は、検知部６１及び６１ａで検知され、斯かる検知結果は検出器６２によって抵抗変動値とされ、当該抵抗変動値に基づいて受圧部材３及び３ａが夫々受けた受圧の受圧値やこれらの平均値が検出される。検出器６２の検出結果は表示部６３において視認することができるように表示される。
【００５７】
次に、被測定者により記憶指令具６５が操作された場合には、記憶指令信号が生起され、斯かる記憶指令信号を受けた記憶部６４は検出器６２の現在の検出結果を記憶し、記憶指令信号を受けた発音装置６６は発音する。記憶部６４に記憶された検出結果は、当該記憶部６４から読み出すことができ、読み出した検出結果は、表示部６３において視認できるように表示される。尚、被測定者による記憶指令具６５の操作は、例えば、圧接部１３及び１３ａの口腔内面２に対する圧力が圧力Ｐ１及びＰ２を上回った際に又は口腔内面２に対する圧力により被測定者の口腔内面２に痛みが生じた際に行われてもよい。
【００５８】
本例の口筋圧測定装置１によれば、口腔内面２に圧接して口筋に基づく圧力を受圧する少なくとも一つの受圧部材、本例では受圧部材３又は３ａと、当該受圧部材３又は３ａの受圧に基づいて口筋圧を測定する測定手段４とを具備しているために、受圧部材３又は３ａを操作する者（測定者）による受圧部材３又は３ａの操作により被測定者の口筋圧、例えば上述の圧力Ｐ１及びＰ２や口輪筋圧、口腔周囲筋圧、頬筋圧及び舌圧等の少なくとも一つに基づく口筋圧に基づく圧力（圧力Ｐ１及びＰ２を含む）を受圧部材３又は３ａに受圧させることできて、測定結果に被測定者の意思、状態等による影響が生じやすくなる虞をなくすことができ、而して、被測定者の口筋圧を正確に測定することができる。尚、口筋圧測定装置１によれば、操作による受圧部材３又は３ａの口腔内面２への圧接に抗する口筋に基づく圧力を当該受圧部材３又は３ａに受圧させることで、被測定者の有する本来の口筋に基づく口筋圧を正確に測定し得る。
【００５９】
本例の口筋圧測定装置１によれば、夫々互いに別個独立の部材からなると共に口腔内面２に圧接して口筋に基づく圧力Ｐ１及びＰ２を受圧する一対の受圧部材３及び３ａと、受圧部材３及び３ａの受圧に基づいて口筋圧を測定する測定手段４とを具備しているために、受圧部材３及び３ａを操作する者（測定者）による受圧部材３及び３ａの操作により被測定者の口筋に基づく圧力Ｐ１及びＰ２を受圧部材３及び３ａに受圧させることができて、測定結果に被測定者の意思、状態等による影響が生じ易くなる虞をなくすことができ、而して、被測定者の口筋圧を正確に測定することができ、また、夫々互いに別個独立の部材である受圧部材３及び３ａの測定者による操作により受圧部材３及び３ａの相対的な位置を自在に調整することができて、被測定者に応じた種々の大きさの受圧部材を予め準備してこれらの受圧部材を適宜選択する必要をなくすことができ、而して、種々の被測定者の口筋圧の正確な測定を速やかに行うことができる。尚、操作による受圧部材３及び３ａの口腔内面２への圧接に抗する口筋に基づく圧力Ｐ１及びＰ２を当該受圧部材３及び３ａに受圧させることで、被測定者の有する本来の口筋に基づく口筋圧を正確に且つ速やかに測定し得る。
【００６０】
口筋圧測定装置１によれば、一対の受圧部材３及び３ａは、夫々互いに同形状であるために、受圧部材３及び３ａの夫々の操作を容易にし得ると共に、受圧部材３及び３ａに口筋に基づく圧力Ｐ１及びＰ２を夫々互いに同様に受圧させることができて被測定者の口筋圧をより正確に測定し得、また、受圧部材３及び３ａの互換性を確保することができて、当該受圧部材３及び３ａの管理（メンテナンス、交換等を含む）を容易にし得る上に、口筋圧測定装置１自体の製造コストをも低減し得る。
【００６１】
口筋圧測定装置１によれば、受圧部材３は、先端部に口腔内面２に圧接する圧接部１３を有している略Ｌ字状部材１１を具備しており、受圧部材３ａもまた受圧部材３と同様に、先端部に口腔内面２に圧接する圧接部１３ａを有している略Ｌ字状部材１１ａを具備しており、測定手段４は、圧接部１３及び１３ａの口腔内面２に対する圧接により当該圧接部１３が受圧する口筋に基づく圧力Ｐ１及びＰ２を測定するようになっているために、圧接部１３及び１３ａを口腔内面２に対して容易に圧接させることができ、而して、口筋圧を簡単に測定することができる。
【００６２】
口筋圧測定装置１によれば、略Ｌ字状部材１１及び１１ａの夫々は、３０度から５０度の角度で折れ曲がっているために、受圧部材３及び３ａを口腔内面２に対してより容易に圧接させることができ、而して、口筋圧をより簡単に測定することができる。
【００６３】
口筋圧測定装置１によれば、測定手段４は、検出器６２の検出結果を記憶する記憶部６４と、記憶部６４から離反して配されていると共に当該記憶部６４に検出器６２の検出結果を記憶させるべく記憶指令信号を生起する記憶指令具６５とを具備しているために、被測定者により記憶指令具６５を簡単に操作することができ、而して、検出器６２の検出結果を速やかに記憶部６４に記憶させ得る。
【００６４】
口筋圧測定装置１によれば、測定手段４は、記憶指令具６５の記憶指令信号の生起に基づいて発音する発音装置６６を具備しているために、例えば、被測定者による記憶指令具の操作により発音装置６６による発音を生じさせることで、測定者に対して検出器６２からの検出結果が記憶部６４に記憶された旨を速やかに伝達することができ、而して、一対の受圧部材３及び３ａの口腔内面２に対する過大な圧力の付与を防止することができる。
【００６５】
尚、本例の口筋圧測定装置１では、撓み部１５及び１５ａを有した受圧部材３及び３ａを具備しているが、これらに代えて、例えば、口筋に基づく圧力Ｐ１及びＰ２の受圧によっては撓みを生じないように構成された受圧部材を夫々具備していてもよく、斯かる場合には、検知部６１及び６１ａに代えて、口腔内面２からの圧力Ｐ１及びＰ２の受圧により前記受圧部材の夫々に加わる圧力を検知する検知部を夫々具備していてもよい。
【図面の簡単な説明】
【００６６】
【図１】本発明の実施の形態の例の全体説明図である。
【図２】図１に示す例の主に受圧部材の側面拡大説明図である。
【図３】図１に示す例の主に受圧部材の正面拡大説明図である。
【図４】図１に示す例の主に測定手段の概念説明図である。
【図５】図１に示す例の使用説明図である。
【図６】図２に示す例の主に受圧部材の動作説明図である。
【符号の説明】
【００６７】
１  口筋圧測定装置
２  口腔内面
３、３ａ  受圧部材
４  測定手段
【図１】
2006051133.tif 000003
【図２】
2006051133.tif 000004
【図３】
2006051133.tif 000005
【図４】
2006051133.tif 000006
【図５】
2006051133.tif 000007
【図６】
2006051133.tif 000008